(57)【要約】【課題】アップライトピアノのアクション機構に備わるブライドルテープの劣化を抑制できるようにする。【解決手段】バット４４、バット４４から延びるキャッチャーシャンク４５、及び、キャッチャーシャンク４５の延出方向の前端部に設けられるキャッチャー４６を備えるバットアセンブリ４１に対するブライドルテープ８０の取付構造であって、ブライドルテープ８０の一端部８０Ａは、該一端部８０Ａを除く前記ブライドルテープ８０の部分が押鍵時に前記キャッチャー４６に接触しないように鉛直方向下側に位置する前記キャッチャー４６あるいは前記キャッチャーシャンク４５の下部に取り付けられるブライドルテープ８０の取付構造を提供する。【選択図】図１
2016009004.tif 000002
【特許請求の範囲】
【請求項１】
バット、該バットから延びるキャッチャーシャンク、及び、該キャッチャーシャンクの延出方向の前端部に設けられるキャッチャーを備えるバットアセンブリに対するブライドルテープの取付構造であって、
前記ブライドルテープの一端部は、該一端部を除く前記ブライドルテープの部分が押鍵時に前記キャッチャーに接触しないように鉛直方向下側に位置する前記キャッチャーあるいは前記キャッチャーシャンクの下部に取り付けられることを特徴とするブライドルテープの取付構造。
【請求項２】
前記ブライドルテープの一端部が、前記キャッチャーの他の面よりも鉛直方向下側に位置する前記キャッチャーの下面、あるいは、前記キャッチャーシャンクの前端部が接続された前記キャッチャーの後端面と逆側に向く前記キャッチャーの前端面に固定されることを特徴とする請求項１に記載のブライドルテープの取付構造。
【請求項３】
前記キャッチャーが樹脂材料からなり、
前記ブライドルテープの一端部が、溶着によって前記キャッチャーの下面あるいは前端面に固定されることを特徴とする請求項２に記載のブライドルテープの取付構造。
【請求項４】
請求項１から請求項３のいずれか一項に記載のブライドルテープの取付構造を含むアクション機構を備えるアップライトピアノ。
【発明の詳細な説明】
【技術分野】
【０００１】
本発明は、ブライドルテープの取付構造、及び、これを備えるアップライトピアノに関する。
【背景技術】
【０００２】
一般に、アップライトピアノに用いられるアクション機構では、例えば特許文献１のように、押鍵時に回動したハンマーを離鍵時に元の位置に引き戻すために、バットアセンブリ（キャッチャー）と、ウイペンアセンブリ（ブライドルワイヤー）とを、ブライドルテープによって接続している。バットアセンブリは、ハンマーの基端部に一体に設けられ、例えば図６に示すように、ハンマーと共に回動するバット１０１、バット１０１から突出する棒状のキャッチャーシャンク１０２、及び、キャッチャーシャンク１０２の突出方向先端に取り付けられるブロック状のキャッチャー１０３を備える。そして、ブライドルテープ１１０は、押鍵時にハンマーと共に回動したバットアセンブリを離鍵時に元の位置に引き戻す役割を果たすものである。
従来のブライドルテープ１１０は、その一端部がバット１０１側に対向するキャッチャー１０３の後面１０３ａに形成された穴からキャッチャー１０３内部に挿入された上で、キャッチャー１０３内部においてキャッチャーシャンク１０２や取付部材（特許文献１参照）によって挟み込まれることで、キャッチャー１０３に取り付けられる。
【先行技術文献】
【特許文献】
【０００３】
【特許文献１】特開２００７−２１８９５８号公報
【発明の概要】
【発明が解決しようとする課題】
【０００４】
ところで、ウイペンアセンブリに対するブライドルテープ１１０の他端部の取付位置は、キャッチャー１０３のうち後面１０３ａと逆側に向く前面１０３ｂ側に位置する。このため、ブライドルテープ１１０が上記従来のようにキャッチャー１０３に取り付けられると、ブライドルテープ１１０は、キャッチャー１０３の後面１０３ａから前面１０３ｂ側に回り込んだ上で、ウイペンアセンブリまで延びることになる。この場合、アクション機構の動作時には、ブライドルテープ１１０の一部が、キャッチャー１０３の表面（特に図６においてキャッチャー１０３の後面１０３ａと下面１０３ｃとの角部）に擦れてしまい、ブライドルテープ１１０が劣化しやすい、という問題がある。
【０００５】
本発明は、上述した事情に鑑みてなされたものであって、ブライドルテープの劣化を抑制できるブライドルテープの取付構造、及び、これを備えるアップライトピアノを提供することを目的とする。
【課題を解決するための手段】
【０００６】
上記課題を解決するために、本発明のブライドルテープの取付構造は、バット、該バットから延びるキャッチャーシャンク、及び、該キャッチャーシャンクの延出方向の前端部に設けられるキャッチャーを備えるバットアセンブリに対するブライドルテープの取付構造であって、前記ブライドルテープの一端部は、該一端部を除く前記ブライドルテープの部分が押鍵時に前記キャッチャーに接触しないように鉛直方向下側に位置する前記キャッチャーあるいは前記キャッチャーシャンクの下部に取り付けられることを特徴とする。
【０００７】
また、本発明のアップライトピアノは、前記ブライドルテープの取付構造を含むアクション機構を備える。
【０００８】
本発明のブライドルテープの取付構造によれば、一端部を除くブライドルテープの部分が押鍵時にキャッチャーに接触しないようにブライドルテープの一端部がキャッチャーに取り付けられる。このため、本発明のブライドルテープの取付構造を含むアクション機構では、その動作時にブライドルテープがキャッチャーの表面に擦れることを防いで、ブライドルテープの劣化を抑制できる。すなわち、ブライドルテープの耐久性向上を図ることができる。
【０００９】
そして、前記ブライドルテープの取付構造においては、前記ブライドルテープの一端部が、前記キャッチャーの他の面よりも鉛直方向下側に位置する前記キャッチャーの下面、あるいは、前記キャッチャーシャンクの前端部が接続された前記キャッチャーの後端面と逆側に向く前記キャッチャーの前端面に固定されてもよい。
【００１０】
上記構成によれば、押鍵時にブライドルテープのうちキャッチャーから延びる部分がキャッチャーの表面に接触することを確実に防止できる。
また、従来と比較して少ない取付工数でブライドルテープの一端部を簡単にキャッチャーに取り付けることが可能となる。また、キャッチャーにブライドルテープを挿入するための穴等を形成する加工が不要となるため、バットアセンブリを安価に製造できる。さらに、ブライドルテープの一端部をキャッチャーに固定する際に、キャッチャーから延びるブライドルテープの向き及び長さを容易に高い精度で設定することも可能となる。
【００１１】
また、前記ブライドルテープの取付構造において、前記キャッチャーが樹脂材料からなり、前記ブライドルテープの一端部が、溶着によって前記キャッチャーの下面あるいは前端面に固定されてもよい。
【００１２】
上記構成によれば、ブライドルテープの一端部がキャッチャーの内部においてキャッチャーシャンクや取付部材によって狭持される従来構成と比較して、キャッチャーにかかる応力を低減できる。したがって、この応力に基づくキャッチャーの劣化を防ぐことができる。
また、ブライドルテープの一端部がキャッチャーの内部において狭持される従来構成と比較して、アクション機構の動作時に発生する衝撃によって、キャッチャーに対するブライドルテープの固定状態が弱まったり、バットアセンブリからウイペンアセンブリに至るブライドルテープの長さが変化することも防止できる。ブライドルテープの長さの変化は、連続的な押鍵に対応してハンマーが連続して弦を叩く連打性能や、ハンマーによる弦の打撃力の大きさに影響するため、ブライドルテープの長さ変化を防ぐことはアップライトピアノにおいて有用である。
【発明の効果】
【００１３】
本発明によれば、ブライドルテープの劣化を抑制できる。
【図面の簡単な説明】
【００１４】
【図１】本発明の一実施形態に係るブライドルテープの取付構造を含むアップライトピアノのアクション機構を示す側断面図である。
【図２】図１のアクション機構において、バットアセンブリに対するブライドルテープの取付構造に示す側面図である。
【図３】本発明の他の実施形態に係るブライドルテープの取付構造に示す側面図である。
【図４】本発明の他の実施形態に係るブライドルテープの取付構造に示す側面図である。
【図５】本発明の他の実施形態に係るブライドルテープの取付構造に示す側面図である。
【図６】従来のブライドルテープの取付構造を示す側面図である。
【発明を実施するための形態】
【００１５】
以下、図１，２を参照して本発明の一実施形態について説明する。
図１は、本発明の一実施形態に係るブライドルテープの取付構造を採用したアップライトピアノのアクション機構ＡＣＴを、アップライトピアノの幅方向（演奏者から見て左右方向）から見た図である。図１には、アップライトピアノの一つの白鍵１０Ｗ（鍵１０）に対応するアクション機構ＡＣＴが記載されているが、他の白鍵１０Ｗや黒鍵１０Ｂに対応するアクション機構ＡＣＴも同様である。以下では、演奏者側（図１において右側）から見たときのアップライトピアノの手前側を「前」、奥側を「後」として説明する。また、演奏者側から見てアップライトピアノの鉛直方向上側を「上」、鉛直方向下側を「下」として説明する。
アップライトピアノの各鍵１０は、筬１１上に配され、バランスピン１３を中心に揺動自在とされている。各鍵１０の前端部は押鍵される側の端部である。各鍵１０の後端部には、上方に突出するキャプスタン１２が設けられている。
【００１６】
アクション機構ＡＣＴは、各鍵１０の後端部の上方においてセンターレール１５により支持されている。センターレール１５は、アップライトピアノの幅方向（演奏者から見て左右方向）に延びており、幅方向の複数個所において不図示のアクションブラケットによって筬１１を載置する棚板（不図示）に固定されている。
アクション機構ＡＣＴは、鍵１０の動作により駆動されるウイペンアセンブリ２０と、ウイペンアセンブリ２０の動作に伴って弦Ｓを打撃するハンマー４３を備えるハンマーアセンブリ４０と、弦Ｓに押さえ付けられるダンパー６２を備え、ウイペンアセンブリ２０の動作に伴ってダンパー６２を弦Ｓから離すダンパーアセンブリ６０と、ウイペンアセンブリ２０とハンマーアセンブリ４０とを接続して、押鍵時に回動したハンマー４３を離鍵時に元の位置（初期位置）に引き戻すためのブライドルテープ８０と、を備える。
【００１７】
ウイペンアセンブリ２０は、主にウイペン２１、ジャック２２、バックチェック２３、ブライドルワイヤー２４、ダンパースプーン２５を備える。
ウイペン２１は、前後方向に延びている。ウイペン２１の後端部は、センターレール１５の下端部に固定されたウイペンフレンジ２６にピン２６Ａによって連結されている。これにより、ウイペン２１はウイペンフレンジ２６に対して回動自在に支持されている。ウイペン２１の前端部には、下方に延びるウイペンヒール２７が固定されている。ウイペンヒール２７の下端は、押鍵していない状態でキャプスタン１２の上端に当接する。また、ウイペン２１のうちピン２６Ａよりも前方側には、上方に突出するジャックフレンジ２８が固定されている。
【００１８】
ジャック２２は、ジャックフレンジ２８の上端にピン結合され、回動自在に支持されている。ジャック２２は、ジャックフレンジ２８との連結部分から前方に延びるジャック小２２Ａと、同連結部分から上方に延びるジャック大２２Ｂと、を備える。ジャック小２２Ａとその下方に位置するウイペン２１の前端部との間には、ジャックスプリング２９が設けられている。
また、ジャック小２２Ａの上方には、レギュレーティングボタン３１が設けられている。レギュレーティングボタン３１は、センターレール１５に取り付けられ、前方側に延びるブラケット３２と、ブラケット３２の前端部に取り付けられ、アップライトピアノの幅方向に延びるレギュレーティングレール３３とを介してセンターレール１５に固定されている。
【００１９】
バックチェック２３及びブライドルワイヤー２４は、ジャックスプリング２９よりもウイペン２１の前方側において上方に延びている。バックチェック２３は、後述するハンマーアセンブリ４０のキャッチャー４６を弾性的に受け止めるものである。ブライドルワイヤー２４の上端部には、後述するブライドルテープ８０の第二端部（他端部）８０Ｂが固定される。
また、ダンパースプーン２５は、ピン２６Ａよりもウイペン２１の後方側において上方に延びている。ダンパースプーン２５は、押鍵に伴うウイペン２１の回動を後述するダンパーセンブリ６０に伝達してダンパー６２を弦Ｓから離間させるものである。
【００２０】
ハンマーアセンブリ４０は、主にバットアセンブリ４１、ハンマーシャンク４２及びハンマー４３を備える。バットアセンブリ４１は、バット４４、キャッチャーシャンク４５及びキャッチャー４６を備える。
バット４４は、ハンマーアセンブリ４０の基部を構成するものであり、センターレール１５に固定されたバットフレンジ４７に対し、センターピン４７Ａを介して回転自在に取り付けられる。バット４４は、バットフレンジ４７との間に設けられたバットスプリング４８によって時計回りに付勢される。バット４４の前側下端部には、バットアンダーフェルト４４Ａ及びバットアンダークロス４４Ｂと、これらを覆うバットスキン４４Ｃとが取り付けられている。バットスキン４４Ｃには、ジャック大２２Ｂの上端が当接する。
【００２１】
キャッチャーシャンク４５は、棒状に形成され、バット４４から前方に延びている。
キャッチャー４６は、ブロック状に形成され、キャッチャーシャンク４５の延出方向の前端部に設けられている。キャッチャー４６の前方側には、ウイペンアセンブリ２０のバックチェック２３が対向している。バックチェック２３に対向するキャッチャー４６の前端面４６ａには、キャッチャースキン４６Ｄが貼り付けられている。ここで、キャッチャー４６の前端面４６ａは、キャッチャーシャンク４５の延出方向の前端部が接続されたキャッチャー４６の後端面４６ｂと逆側に向く面である。
上記したバット４４、キャッチャーシャンク４５及びキャッチャー４６は、それぞれ樹脂材料からなる。本実施形態では、バット４４、キャッチャーシャンク４５及びキャッチャー４６が樹脂材料によって一体に形成されている。
【００２２】
ハンマーシャンク４２は、キャッチャーシャンク４５の延在方向に直交するようにバット４４の上端部から上方に延在している。ハンマーシャンク４２の前方側には、アップライトピアノの幅方向に延びるハンマーレール５０が配されている。ハンマーシャンク４２に対向するハンマーレール５０の後面には、ハンマーレールフェルト５１が取り付けられている。
ハンマー４３は、ハンマーシャンク４２の先端に固定されるハンマーウッド４３Ａと、ハンマーウッド４３Ａの先端に設けられるハンマーフェルト４３Ｂと、を備える。押鍵時にはハンマーフェルト４３Ｂが弦Ｓを打撃する。
【００２３】
以上のように構成されるハンマーアセンブリ４０は、バットスプリング４８の付勢力によって、ハンマーシャンク４２をハンマーレールフェルト５１に当接させた初期位置に配される。一方、ウイペン２１が反時計回りに回動すると、ジャック２２（ジャック大２２Ｂ）がバット４４を突き上げてハンマーアセンブリ４０をバットスプリング４８の付勢力に抗して反時計回りに回動させる。これにより、ハンマー４３が弦Ｓを打撃する。
【００２４】
ダンパーセンブリ６０は、主にダンパーレバー６１、及び、ダンパー６２を備える。
ダンパーレバー６１は、上下方向に延在し、センターレール１５の上端部に固定されたダンパーレバーフレンジ６３にピン結合されている。これにより、ダンパーレバー６１がダンパーレバーフレンジ６３に対して回動自在に支持されている。ダンパーレバー６１は、ダンパーレバーフレンジ６３との間に設けられたダンパースプリング６４によって反時計回りに付勢される。また、ダンパーレバー６１の下端部前方側には、ウイペンアセンブリ２０のダンパースプーン２５が当接する。
ダンパー６２は、ダンパーワイヤー６５を介してダンパーレバー６１の上端に取り付けられている。ダンパー６２は、ダンパーワイヤー６５に固定されたダンパーブロック６２Ａと、ダンパーブロック６２Ａに固定されて弦Ｓに押し付けられる制振部６２Ｂと、を備える。
【００２５】
以上のように構成されるダンパーセンブリ６０では、ダンパースプリング６４の付勢力によってダンパー６２の制振部６２Ｂが弦Ｓに押し付けられ、これにより、他の弦Ｓが打弦されたときの共振を防止ししている。一方、ウイペン２１が反時計回りに回動すると、ダンパースプーン２５がダンパーレバー６１の下端部を後方側に押し、これによって、ダンパーレバー６１をダンパースプリング６４の付勢力に抗して時計回りに回動させる。これにより、ダンパー６２の制振部６２Ｂが弦Ｓから離間する。その後、前述したハンマー４３が弦Ｓを打撃して打撃音が発生する。
【００２６】
次に、図１，２を参照してブライドルテープ８０及びその取付構造について説明する。図２では、バットアセンブリ４１の向きが押鍵時における向きに設定されている。このため、図２においては、キャッチャーシャンク４５を基準としてキャッチャー４６が配されている側を「前」とし、バット４４が配されている側を「後」としている。また、バット４４を基準としてハンマーシャンク４２が延出する側を「上」とし、その逆側を「下」としている。
ブライドルテープ８０は、例えば綿を織った布で構成され、可撓性を有している。図１，２に示すように、ブライドルテープ８０の長手方向の第一端部（一端部）８０Ａは、ブライドルテープ８０がキャッチャー４６の下面４６ｃから延出するように、キャッチャー４６に取り付けられている。ここで、キャッチャー４６の下面４６ｃは、キャッチャー４６の前端面４６ａ及び後端面４６ｂの間に位置する面であり、ウイペン２１に対向する。また、キャッチャー４６の下面４６ｃは、少なくとも押鍵時において鉛直方向下側に向く面であり、キャッチャー４６の前端面４６ａ及び後端面４６ｂよりも鉛直方向下側に位置する。
本実施形態では、ブライドルテープ８０の第一端部８０Ａが、キャッチャー４６の下面４６ｃに固定されている。また、本実施形態では、ブライドルテープ８０の第一端部８０Ａが、超音波溶着などの溶着によってキャッチャー４６の下面４６ｃに固定されている。
【００２７】
ブライドルテープ８０の第二端部８０Ｂは、キャッチャー４６よりも前方かつ下方に位置するブライドルワイヤー２４の上端に固定される。このため、ブライドルテープ８０の第一端部８０Ａは、ブライドルテープ８０がキャッチャー４６の下面４６ｃから前方に延びるように、キャッチャー４６の下面４６ｃに固定されればよい。
以上のように取り付けられるブライドルテープ８０は、ハンマーアセンブリ４０の初期位置への回動復帰をウイペン２１の回動復帰に追従させる役割を果たす。
【００２８】
以上のように構成される本実施形態のアクション機構ＡＣＴの動作は、従来と同様である。
すなわち、鍵１０が押鍵される（鍵１０の前端部が押し下げられる）と、鍵１０が時計回りに回動して鍵１０の後端部が上方に移動し、ウイペン２１を突き上げる。これにより、ウイペン２１が上方（反時計回り）に回動し、ウイペン２１上のジャック２２、バックチェック２３、ブライドルワイヤー２４が上方に移動する。さらに、バット４４がジャック２２（ジャック大２２Ｂ）によって突き上げられることで、ハンマーアセンブリ４０が反時計回りに回動し、ハンマー４３が弦Ｓを打撃する。また、上記した動作においてウイペン２１が反時計回りに回動する途中で、ジャック小２２Ａがレギュレーティングボタン３１に当接すると、ジャック２２がウイペン２１に対して時計回りに回動するため、ジャック大２２Ｂの上端がバット４４から前方に外れる（レットオフ）。そして、ハンマー４３が打弦して跳ね返ると、ハンマーアセンブリ４０が時計回りに回動し、キャッチャー４６がバックチェック２３により受け止められることで、ハンマーアセンブリ４０の時計回りへの回動が一旦停止する。
【００２９】
その後、鍵１０が離鍵されると、鍵１０、ウイペン２１がそれぞれ押鍵時とは逆方向に回動し、初期位置に復帰する。また、ウイペン２１の復帰に伴い、バックチェック２３がキャッチャー４６から離れ、ハンマーアセンブリ４０がバットスプリング４８の付勢力及びブライドルテープ８０の引き戻し力によって時計回りに回動する。これにより、ハンマーシャンク４２がハンマーレールフェルト５１に当接すると共に、ジャック大２２Ｂの上端がバット４４に当接し、離鍵状態に復帰する。
【００３０】
以上説明したように、本実施形態のブライドルテープ８０の取付構造によれば、ブライドルテープ８０がキャッチャー４６の下面４６ｃから延びるようにブライドルテープ８０の第一端部８０Ａがキャッチャー４６に取り付けられるため、従来のようにブライドルテープ８０のうちキャッチャー４６から延びる部分がキャッチャー４６の表面に接触することが無くなる。すなわち、ブライドルテープ８０の第一端部８０Ａは、第一端部８０Ａを除くブライドルテープ８０の部分が押鍵時にキャッチャー４６の表面に接触しないようにキャッチャー４６の下部に取り付けられている。このため、アクション機構ＡＣＴの動作時に、ブライドルテープ８０がキャッチャー４６の表面に擦れることを防いで、ブライドルテープ８０の劣化を抑制できる。すなわち、ブライドルテープ８０の耐久性向上を図ることができる。
【００３１】
また、本実施形態の取付構造では、ブライドルテープ８０の第一端部８０Ａがキャッチャー４６の下面４６ｃに固定されるため、従来と比較して少ない取付工数でブライドルテープ８０の第一端部８０Ａを簡単にキャッチャー４６に取り付けることが可能となる。さらに、キャッチャー４６にブライドルテープ８０の第一端部８０Ａを挿入するための穴等を形成する加工が不要となるため、バットアセンブリ４１を安価に製造できる。さらに、ブライドルテープ８０の第一端部８０Ａをキャッチャー４６に固定する際に、キャッチャー４６から延びるブライドルテープ８０の向き及び長さを容易に高い精度で設定することも可能となる。
また、本実施形態の取付構造によれば、ブライドルテープ８０の第一端部８０Ａがキャッチャー４６の下面４６ｃに固定されることで、バットアセンブリ４１の形状（特にキャッチャーシャンク４５及びキャッチャー４６の形状）を従来のものから変更することなく、押鍵時にブライドルテープ８０がキャッチャー４６に接触することを防止できる。すなわち、バットアセンブリ４１を新規に設計することなく、ブライドルテープ８０の取付構造を安価に構成することができる。
【００３２】
さらに、本実施形態の取付構造では、ブライドルテープ８０の第一端部８０Ａが溶着によってキャッチャー４６の下面４６ｃに固定されるため、ブライドルテープ８０の第一端部８０Ａがキャッチャー４６の内部においてキャッチャーシャンク４５や取付部材によって狭持される従来構成と比較して、キャッチャー４６にかかる応力を低減できる。したがって、この応力に基づくキャッチャー４６の劣化を防ぐことができる。
また、ブライドルテープ８０の第一端部８０Ａがキャッチャー４６の内部において狭持される従来構成と比較して、アクション機構ＡＣＴの動作時に発生する衝撃（例えばハンマー４３が弦Ｓを叩いた際に発生する衝撃、キャッチャー４６がバックチェック２３に当接した際に発生する衝撃など）によって、キャッチャー４６に対するブライドルテープ８０の固定状態が弱まったり、バットアセンブリ４１からウイペンアセンブリ２０（ブライドルワイヤー２４）に至るブライドルテープ８０の長さが変化することも防止できる。ブライドルテープ８０の長さの変化は、連続的な押鍵に対応してハンマー４３が連続して弦Ｓを叩く連打性能や、ハンマー４３による弦Ｓの打撃力の大きさに影響するため、ブライドルテープ８０の長さ変化を防ぐことはアップライトピアノにおいて有用である。
【００３３】
以上、本発明について詳細に説明したが、本発明は上記実施形態に限定されるものではなく、本発明の趣旨を逸脱しない範囲において種々の変更を加えることが可能である。
上記実施形態では、ブライドルテープ８０の第一端部８０Ａが、溶着によってキャッチャー４６の下面４６ｃに固定されているが、これに限ることはなく、例えばステープラ（Ｃ字状の針）、釘、接着剤等の各種固定手段によってキャッチャー４６の下面４６ｃに固定されてもよい。また、ブライドルテープ８０の第一端部８０Ａは、例えば挟持片をキャッチャー４６の下面４６ｃに固定することで、挟持片とキャッチャー４６の下面４６ｃとの間に挟み込まれて固定されてもよい。挟持片は、キャッチャー４６に一体に形成されてもよいし別個に形成されてもよい。
【００３４】
また、上記実施形態では、ブライドルテープ８０の第一端部８０Ａが、キャッチャー４６の下面４６ｃに固定されているが、例えば図３に示すように、キャッチャー４６の前端面４６ａに固定されてもよい。この場合、ブライドルテープ８０の第一端部８０Ａは、例えば、キャッチャー４６の前端面４６ａのうちキャッチャースキン４６Ｄが貼り付けられる領域の下方側に固定されるとよい。
【００３５】
また、ブライドルテープ８０の第一端部８０Ａは、キャッチャー４６の下面４６ｃに固定されることに限らず、例えばキャッチャー４６内部に係止されてもよい。
この場合には、例えば図４に示すように、ブライドルテープ８０の第一端部８０Ａに、ブライドルテープ８０よりも厚みのある係止片８１を設けると共に、キャッチャー４６に、係止片８１が挿入される係止孔４６Ｅを形成すればよい。そして、係止片８１が係止孔４６Ｅ内で係止されるように、ブライドルテープ８０の第一端部８０Ａを係止孔４６Ｅに挿入すればよい。図４において、係止孔４６Ｅはキャッチャー４６の前端面４６ａに開口しているが、例えばキャッチャー４６の下面４６ｃに開口してもよい。この構成であっても、第一端部８０Ａを除くブライドルテープ８０の部分が押鍵時にキャッチャー４６の表面に接触することはない。
【００３６】
さらに、ブライドルテープ８０の第一端部８０Ａは、鉛直方向下側に位置するキャッチャー４６の下部（前端面４６ａや下面４６ｃ）に取り付けられることに限らず、例えば図５に示すように、鉛直方向下側に位置するキャッチャーシャンク４５の下部に取り付けられてもよい。この場合、キャッチャーシャンク４５は、例えば図５のようにキャッチャーシャンク４５の下部がキャッチャー４６の下面４６ｃと同一平面をなすように形成されてもよい。また、キャッチャーシャンク４５は、例えばキャッチャーシャンク４５の下部がキャッチャー４６の下面４６ｃよりも下方に張り出すように形成されてもよい。この構成であっても、第一端部８０Ａを除くブライドルテープ８０の部分が押鍵時にキャッチャー４６の表面に接触することはない。
【符号の説明】
【００３７】
ＡＣＴ…アクション機構、２０…ウイペンアセンブリ、４０…ハンマーアセンブリ、４１…バットアセンブリ、４４…バット、４５…キャッチャーシャンク、４６…キャッチャー、４６ａ…前端面、４６ｂ…後端面、４６ｃ…下面、６０…ダンパーセンブリ、８０…ブライドルテープ、８０Ａ…第一端部（一端部）、８０Ｂ…第二端部（他端部）
【図１】
2016009004.tif 000003
【図２】
2016009004.tif 000004
【図３】
2016009004.tif 000005
【図４】
2016009004.tif 000006
【図５】
2016009004.tif 000007
【図６】
2016009004.tif 000008